(57)【特許請求の範囲】
【請求項１】
第１と第２のパネルからなる管状の平坦な本体と、
１またはそれ以上のエンボス中間ストリップパネルとからなり、
前記各エンボス中間ストリップパネルの側端は、前記各エンボス中間ストリップパネルが前記第１と第２のパネルの間に介在されたときに、前記第１と第２のパネルの接合領域とともに接合され、
前記各エンボス中間ストリップパネルの一端は、本体の開口端まで延在し、
前記本体の開口端で第１パネル、第２パネル及びエンボス中間ストリップパネルが押圧されたときに、エンボス中間ストリップパネルのエンボス空気溝から空気が排出されるようにし、
前記各エンボス中間ストリップパネルは、幅が前記本体の半分であるか、またはそれ以下である真空包装袋。
【請求項２】
前記各エンボス中間ストリップパネルは前記本体に容易に接合されるヒートシール可能な材料で形成されている請求項１に記載の袋。
【請求項３】
前記各エンボス中間ストリップパネルは、ポリエチレン、高密度ポリエチレンまたはポリプロピレンで形成されている請求項２に記載の袋。
【請求項４】
前記本体の１面に食品が包装された日付を示すカレンダーが印刷されている請求項１に記載の袋。
【発明の詳細な説明】
【０００１】
発明の背景
１．発明の技術分野
本発明は、一般には空真包装装置に適用される真空包装袋、具体的には、所定のエンボスパターンが形成された中間ストリップパネルを備え、該中間ストリップパネルがそれぞれ第１と第２のパネルに取り付けられ、これにより、既存の真空包装袋に比べると真空処理に要する時間が減少し、その真空状態は信頼性を持って長期間維持されるようにした真空包装袋に関する。
【０００２】
２．従来技術の説明
一般に、真空包技術は、食品の酸化を防止することにより食品を長期間保存するために、食品を袋に収容し、袋内の空気を排気した後に、袋を封止する技術である。食品を冷蔵庫で低温に保存する技術が使用されているが、食品が空気と接触するのを防止するために食品を真空包装する技術は、食品を長期間保存するのに最も有効である。
【０００３】
図１は、従来の真空包装装置と該装置に適用される真空包装袋を示す斜視図である。図２は、図１のＡ−Ａ線に沿う断面図である。
【０００４】
図１および図２に示すように、従来の真空包装装置は、ベース１０と、押圧カバー２０と、前記ベース１０および押圧カバー２０にそれぞれ固定された下部および上部ゴムクランプ２３および２４と、ベース１０と押圧カバー２０の間の空間に真空包装袋３０を挿入した後に真空包装袋３０を真空にする真空ポンプ２５と、ベース１０に配置されて熱により包装袋３０を封止するヒータ２１と、ヒータクランプ２２とからなっている。
【０００５】
従来の真空包装装置によると、以下の動作が行われる。食品を収容する真空包装袋３０の開口端を下部ゴムクランプ２３に配置する。押圧カバー２０を下方に回動させ、これにより上部ゴムクランプ２４を下部ゴムクランプ２３と接触させる。この状態で、真空ポンプ２５を駆動して、下部および上部ゴムクランプ２３および２４によって形成される空間を真空にする。このとき、典型的なビニールの袋を使用すると、袋の中の空気を簡単には排気することができない。しかしながら、図１と２に示す真空包装袋３０は、２つのパネルの少なくとも一方の内面が完全にエンボス加工されているので、袋３０内の空気は容易に排出される。袋３０が真空にされると、ヒータ２１が駆動し、これにより袋３０はヒータ２１で発生する熱によって開口端で封止される。
【０００６】
しかしながら、従来の真空包装袋によると、２つのパネルの少なくとも一方の内面全体にわたるエンボス加工のために、その製造コストが高く、エンボス部が破裂する場合には真空化が困難であり、袋の内容物が粉末であるときに該粉末内容物が袋３０に形成されたエンボス空気溝３０ａを通って排出される。
【０００７】
さらに、エンボス部が２つのパネルの少なくとも一方の内面に完全に形成されているので、袋の厚さが増大し、これによりユーザに不都合を生じる。エンボス部は噛み合いローラにより高温で製造されるので、該エンボス部は製造中に容易に損傷する。
【０００８】
さらに、エンボス部は２つのパネルの少なくとも一方の内面全体に形成されているので、平坦な袋を完成する前に商標や意匠を下部に印刷しなければならないという不都合がある。
【０００９】
発明の概要
したがって、本発明は前記従来の問題に鑑みてなされたもので、本発明の目的は、製造コストを低減し、真空化の失敗を防止することができる真空包装袋を提供することである。
【００１０】
本発明の他の目的は、粉末内容物の排出を防止し、その厚さを減少し、ユーザにその内容物を見させることができ、袋に商標や意匠を容易に印刷することができる真空包装袋を提供することである。
【００１１】
前記目的を達成するために、本発明は、第１と第２のパネルからなる管状の平坦な本体と、１またはそれ以上のエンボス中間ストリップパネルとからなり、前記各エンボス中間ストリップパネルの側端は、前記各エンボス中間ストリップパネルが前記第１と第２のパネルの間に介在されたときに、前記第１と第２のパネルの接合領域とともに接合され、前記各エンボス中間ストリップパネルの一端は、本体の開口端まで延在し、前記本体の開口端で第１パネル、第２パネル及びエンボス中間ストリップパネルが押圧されたときに、エンボス中間ストリップパネルのエンボス空気溝から空気が排出されるようにし、前記各エンボス中間ストリップパネルは、幅が前記本体の半分であるか、またはそれ以下である真空包装袋を提供している。
【００１２】
本発明の前述したおよび他の目的、特徴および利点は、添付図面を参照した以下の詳細な説明からより明瞭に理解されるであろう。
【００１３】
好ましい実施形態の説明
図３は本発明の好ましい実施形態による真空包装袋が適用される真空包装装置を示す斜視図、図４は図３に示すエクスパンダを示す拡大斜視図、図５は本発明の真空包装袋を示す斜視図、図６は本発明の真空包装袋を示す平面図、図７は図６のＢ−Ｂ線に沿う断面図である。
【００１４】
図５から７に示すように、真空包装袋１００は、管状の平坦な本体と２つのエンボス中間ストリップパネル１０３とからなっている。管状の平坦な本体は第１のパネル１０１と第２のパネル１０２からなっている。エンボス中間ストリップパネル１０３の各々は、エンボス空気溝１０３ａを有している。第１パネル１０１と第２パネル１０２はその側端、いわゆる接合領域１０４で互いに接合されている。エンボス中間ストリップパネル１０３の各々が第１パネル１０１と第２パネル１０２の間に介在されると、エンボス中間ストリップパネルの側端が接合領域１０４とともに接合される。
【００１５】
この場合、エンボス中間ストリップパネル１０３の各々は、ポリエチレン（ＰＥ）、高密度ポリエチレン（ＨＤＰＥ）またはポリプロピレンのような、第１パネル１０１と第２パネル１０２に容易に接合することができるヒートシール可能な材料で形成するのが好ましい。したがって、エンボス中間ストリップパネル１０３は第１パネル１０１と第２パネル１０２に有効に接合される。
【００１６】
エンボス中間ストリップパネル１０３の各々の幅は、平坦な本体の幅の半分またはそれ以下が好ましい。
【００１７】
本体の１面には、食品が包装された日付を示すカレンダーが規則的間隔で印刷されている。すなわち、本体の１面に、月を示す１から１２の数字と、日を示す１から３１までの数字が印刷されている。
【００１８】
図３および図４に示すように、前記真空包装袋が適用される真空包装装置は、種々の電気器具を収容する電気器具箱７０と、該電気器具箱７０に接続されたベース５０と、該ベース５０に回動可能に接続された押圧カバー６０と、電気器具箱７０に配置された真空ポンプ（不図示）と、真空包装袋の端部が配置される下部ゴムクランプ５２と、該下部ゴムクランプ５２と接触することができる上部ゴムクランプ６２と、前記下部ゴムクランプ５２の前方に配置され袋１００のシールすべき部分を加熱するヒータ５１と、前記上部ゴムクランプ６２の前方に配置されたヒータクランプ６１と、該ヒータクランプ６１を移動させる手段（不図示）と、前記下部ゴムクランプ５２と上部ゴムクランプ６２の間に介在することができるエクスパンダ８０とからなっている。
【００１９】
図４に示す場合、エクスパンダ８０はほぼＹ形状である。エクスパンダ８０は、上部および下部挿入板８１および８２と、挿入スプリング８４と、支持板８３と、支持スプリング８５と、上部および下部パイプ８６および８７とからなっている。上部および下部挿入板８１および８２は、その第１端が互いに離れて配置され、その第２端が互いに折り畳み可能に接続されている。挿入スプリング８４は上部挿入板８１と下部挿入板８２の間に介在されている。支持板８３は上部および下部挿入板８１および８２の第２端に水平に接続され、その外面にエンボス部８０ａを有している。支持スプリング８５は支持板８３を弾性支持している。上部パイプ８６は、支持板８３に固定される一方、支持スプリング８５の上部及び中間部を包囲している。下部パイプ８７は、その上端部が上部パイプ８６の下端部の回りにスライド可能に嵌合し、その下端部がベース５０に固定される一方、支持スプリング８５の下端部を包囲している。
【００２０】
ヒータ５１は図面では下部ゴムクランプ５２の前方に配置されているが、該ヒータ５１は下部ゴムクランプ５２の背後に配置されてもよい。
【００２１】
前記実施形態によると、以下の動作が行われる。エクスパンダ８０の上部および下部挿入板８１および８２は、食品を収容する真空包装袋の１つの開口端に挿入する。その後、押圧カバー６０をベース５０に向かって下方に回動し、これにより上部ゴムクランプ６２が下部ゴムクランプ５２に接触する。この状態で、真空ポンプを駆動する。真空ポンプを駆動すると、ヒータクランプ６１はクランプ移動手段によってある程度上方に移動し、同時に下部および上部ゴムクランプ２３および２４によって封止された空間が真空にされる。このとき、エクスパンダ８０の上部および下部挿入板８１および８２は挿入スプリング８４によって広げられるが、上部挿入板８１と下部挿入板８２によって形成される角度は空気が排気されるに伴って減少する。さらに、エクスパンダ８０はエンボス部８０ａを有している。したがって、下部および上部ゴムクランプ５２および６２が真空包装袋１００を押圧しているにもかかわらず以前のように隙間が存在するので、空気は容易に除去される。さらに、本発明の真空包装袋１００を使用すると、エンボス中間ストリップ１０３が上部ゴムクランプ５２と下部ゴムクランプ６２の間に介在しているので、真空包装袋１００内の空気は容易に排出される。真空包装袋内の圧力がある値に達すると、ヒータクランプ６１がクランプ移動手段によって降下する。この状態でヒータ５１が動作し、これにより真空包装袋を封止する。
【００２２】
完成した真空包装袋に関して、平坦な本体はエンボス加工されていないので、ユーザは袋１００の中身を見ることができる。
【００２３】
前述したように、本発明は、エンボス中間ストリップパネルを使用することにより、製造コストを低減し、真空化の失敗を防止することができる真空包装袋を提供する。
【００２４】
さらに、本発明は、平坦な本体を使用することにより、粉末の内容物の吸引を防止し、その厚さを減少し、ユーザが中身を見ることができ、袋に商標や意匠を容易に印刷することができる。
【００２５】
本発明の好ましい実施形態を例示目的で開示したが、請求の範囲に記載されているような本発明の範囲および精神から逸脱することなく、種々の修正、追加および置換が可能であることは、当業者に明らかである。
【図面の簡単な説明】
【図１】  従来の真空包装装置と該装置に適用される真空包装袋を示す斜視図。
【図２】  図１のＡ−Ａ線に沿う断面図。
【図３】  本発明の好ましい実施形態による真空包装袋が適用される真空包装装置を示す斜視図。
【図４】  図３に示すエクスパンダを示す拡大斜視図。
【図５】  本発明の真空包装袋を示す斜視図。
【図６】  本発明の真空包装袋を示す平面図。
【図７】  図６のＡ−Ａ線に沿う断面図。
【符号の説明】
１００  真空包装袋
１０１  第１パネル
１０２  第２パネル
１０３  エンボス中間ストリップ
【図１】
0003759716.tif 000002
【図２】
0003759716.tif 000003
【図３】
0003759716.tif 000004
【図４】
0003759716.tif 000005
【図５】
0003759716.tif 000006
【図６】
0003759716.tif 000007
【図７】
0003759716.tif 000008